(57)【要約】  本発明は、サンプリングされた信号（１８）の記憶すべき値（１９〜２２）の量を低減方法および装置に関する。上限値（２７，３０，３４）および下限値（２８，３１，３３）によって決まる大きさを有する予め定められた値範囲（２３〜２５）の外側または限界に信号の値（１９〜２２）があるときに、信号（１８）の値が記憶される。本発明によれば、値範囲（２３〜２５）の大きさが値範囲の予め定められた初期の大きさ（２６，２９，３２）から出発して値の検出中に変化させられ、特に連続的に零に縮小される。
2009532964.tif 000002
【特許請求の範囲】
【請求項１】
信号（１８；３５；４２；４８；５３）の値（１９〜２２；３７〜３９；４５〜４７；５１，５２；５７〜６０）の検出方法であって、上限値（２７，３０，３４）および下限値（２８，３１，３３）によって決まる大きさを有する予め定められた値範囲（２３〜２５；４０，４１；４３，４４；４９，５０；５４〜５６）の外側または限界に前記値（１９〜２２；３７〜３９；４５〜４７；５１，５２；５７〜６０）があるときに、信号（１８；３５；４２；４８；５３）の値（１９〜２２；３７〜３９；４５〜４７；５１，５２；５７〜６０）が記憶される信号の値の検出方法において、値範囲（２３〜２５；４０，４１；４３，４４；４９，５０；５４〜５６）の大きさが値範囲（２３〜２５；４０，４１；４３，４４；４９，５０；５４〜５６）の予め定められた初期の大きさ（２６，２９，３２）から出発して値（１９〜２２；３７〜３９；４５〜４７；５１，５２；５７〜６０）の検出中に変化させられることを特徴とする信号の値の検出方法。
【請求項２】
値範囲（２３〜２５；４０，４１；４３，４４；４９，５０；５４〜５６）の大きさは、変化後に値（１９〜２２；３７〜３９；４５〜４７；５１，５２；５７〜６０）が記憶されたときに新たに初期の大きさ（２６，２９，３２）を取ることを特徴とする請求項１記載の方法。
【請求項３】
値範囲（２３〜２５；４０，４１；４３，４４；４９，５０；５４〜５６）の大きさは、特に連続的に縮小されることを特徴とする請求項１又は２記載の方法。
【請求項４】
値範囲（２３〜２５；４０，４１；４３，４４；４９，５０；５４〜５６）の縮小の際に値範囲（２３〜２５；４０，４１；４３，４４；４９，５０；５４〜５６）の予め定められた最小の大きさが到達され、かつ縮小された値範囲（２３〜２５；４０，４１；４３，４４；４９，５０；５４〜５６）の外側または限界にある信号（１８；３５；４２；４８；５３）の値（１９〜２２；３７〜３９；４５〜４７；５１，５２；５７〜６０）がまだ検出されていないときにも、値（１９〜２２；３７〜３９；４５〜４７；５１，５２；５７〜６０）が記憶されることを特徴とする請求項３記載の方法。
【請求項５】
値範囲（２３〜２５；４０，４１；４３，４４；４９，５０；５４〜５６）の予め定められた最小の大きさが零であることを特徴とする請求項４記載の方法。
【請求項６】
値範囲（２３〜２５；４０，４１；４３，４４；４９，５０；５４〜５６）の大きさが変化する際上限値（２７，３０，３４）および下限値（２８，３１，３３）の対称的な変化が行なわれることを特徴とする請求項１乃至５の１つに記載の方法。
【請求項７】
値範囲（２３〜２５；４０，４１；４３，４４；４９，５０；５４〜５６）の大きさの変化が一次関数にしたがって行なわれることを特徴とする請求項１乃至６の１つに記載の方法。
【請求項８】
値範囲（２３〜２５；４０，４１；４３，４４；４９，５０；５４〜５６）が、信号（１８；３５；４２；４８；５３）の特に直前に記憶された値（１９〜２２；３７〜３９；４５〜４７；５１，５２；５７〜６０）に依存して定められることを特徴とする請求項１乃至７の１つに記載の方法。
【請求項９】
値範囲（２３〜２５；４０，４１；４３，４４；４９，５０；５４〜５６）が、信号（１８；３５；４２；４８；５３）のこれまでに検出された値（１９〜２２；３７〜３９；４５〜４７；５１，５２；５７〜６０）に基づいて決定された予測値に依存して定められることを特徴とする請求項１乃至８の１つに記載の方法。
【請求項１０】
信号（１８；３５；４２；４８；５３）の予め定められた第１の時間範囲内に記憶すべき値（１９〜２２；３７〜３９；４５〜４７；５１，５２；５７〜６０）の特に最大の個数が予め定められていることを特徴とする請求項１乃至９の１つに記載の方法。
【請求項１１】
値範囲（２３〜２５；４０，４１；４３，４４；４９，５０；５４〜５６）の初期の大きさ（２６，２９，３２）が、信号（１８；３５；４２；４８；５３）の予め定められた第２の時間範囲の期間中に記憶された値（１９〜２２；３７〜３９；４５〜４７；５１，５２；５７〜６０）に依存して定められることを特徴とする請求項１乃至１０の１つに記載の方法。
【請求項１２】
信号（１８；３５；４２；４８；５３）の値（１９〜２２；３７〜３９；４５〜４７；５１，５２；５７〜６０）の検出装置（１１）であって、上限値（２７，３０，３４）および下限値（２８，３１，３３）によって決まる大きさを有する予め定められた値範囲（２３〜２５；４０，４１；４３，４４；４９，５０；５４〜５６）の外側または限界に値（１９〜２２；３７〜３９；４５〜４７；５１，５２；５７〜６０）があるときに、信号（１８；３５；４２；４８；５３）の値（１９〜２２；３７〜３９；４５〜４７；５１，５２；５７〜６０）を記憶するように構成されている制御手段（１２）を有する信号の値の検出装置（１１）において、制御手段（１２）は、値範囲（２３〜２５；４０，４１；４３，４４；４９，５０；５４〜５６）の大きさを、値（１９〜２２；３７〜３９；４５〜４７；５１，５２；５７〜６０）の検出中に、予め定められた初期の大きさ（２６，２９，３２）から出発して変化させるように構成されていることを特徴とする信号の値の検出装置。
【発明の詳細な説明】
【技術分野】
【０００１】
本発明は、上限値および下限値によって決定されている大きさを有する予め定められた値範囲の外側または限界（限界値）に信号の値があるときに信号の値が記憶される信号の値の検出方法に関する。更に、本発明は、上限値および下限値によって決定されている大きさを有する予め定められた値範囲の外側または限界（限界値）に信号の値があるとき信号の値を記憶するように構成されている制御手段を有する信号の値の検出装置に関する。
【０００２】
信号の値を検出する際または信号をサンプリングする際に、多くの用途では信号の記憶すべき値またはデータの数量が制限されるべきである。なぜならば、そのために必要なメモリ需要を少なく保つためである。圧縮方法はこれを可能にする。検出かつ記憶された値の中に含まれている信号に関する重要な情報を失うことなしに、記憶された値またはデータの数量が低減されまたは少なく保たれる。この場合に、一般的に急速な信号変化が時間に即して記録され、小さな変化において正確な値が記録され、そして、例えばドリフト、ランプおよびノイズのような信号内に含まれている構造が記録されるべきである。
【０００３】
公知の解決策においては、信号の値を検出する際に、値の記憶が固定の時間間隔で行なわれる。それに加えて特定の値範囲にある値は記憶されない。それによって、その値範囲により予め定められた最小変化を上回る信号変化のみが記憶されることにより、記憶される値の個数を少なくしようというわけである。値範囲の大きさは上限値および下限値によって決定される。値範囲の大きさは値の検出経過全体にわたって一定である。したがって、新たな値の記憶は新たな値が先行の値から少なくとも上限値または下限値だけはずれた際に行なわれる。その記憶は新たな記憶すべき値が予め定められた値範囲の外側にある場合に行なわれる。このような値範囲は不感帯とも呼ばれる。
【０００４】
図１はノイズを含んだ実質的には正弦波状の信号１の例を示す。図１には信号１の時間経過を描いた座標系が示されている。信号１は上述の従来のようにサンプリングされる。その際に信号１の値が検出されて記憶される。図１には記憶された値が四角形のマークを付されている。模範的に信号１の経過において検出されて記憶された値２，３，４がより詳しく示されている。値の記憶は予め定められた値範囲により行なわれる。図１には値範囲が点線で示されている。図１には値範囲５，６，７がより詳しく示されている。それらの時間的広がりにおいて値範囲が方形面を描いている。値範囲の大きさは垂直方向、すなわち縦座標方向における広がりによって示されている。図１において認識することができるように、値範囲の大きさはそれらの時間経過にわたってそれぞれ等しい。図１において値範囲５〜７の大きさは符号８を付されている。個々の値範囲のそれぞれの時間的広がりは信号１の経過によって決定される。それぞれの値範囲の時間的広がりは異なり得る。信号の記憶された値は次の値範囲の位置を決定する。次の値範囲の上限値および下限値はその記憶された値を中心に対称的に定められる。したがって、上限値は上方に向かって、すなわち縦座標の正方向に、記憶された値から等しく離れている。同様に下限値は下方に向かって、すなわち縦座標の負方向に、記憶された値から等しく離れている。図１において値範囲５は値２を中心に対称的に置かれている。信号１が、図１による例では値範囲５に関するかぎり、値範囲５の外側または限界にある値が検出されるまでサンプリングされる。これは図１における値３に当てはまる。したがって、値３が記憶される。値範囲５の時間的な広がりが図１において符号９で示されている。値３の位置は今や次の値範囲６のための出発点として用いられる。値範囲６の上限値および下限値が値３に対して対称的に定められる。信号１が、値範囲６に関するかぎり、値範囲６の外側または限界にある値が検出されるまでサンプリングされる。これは値４に当てはまる。値４が記憶される。値範囲６の時間的な広がりが図１に符号１０で示されている。値４は次の値範囲７のための出発点として用いられる。信号１の更なるサンプリングおよび検出と信号１の更なる値の記憶とが、値２〜４および値範囲５〜７に関する説明と同様にして行なわれる。
【０００５】
信号の値を検出するためのこの方法の場合には、特に小さい信号変化を検出するために値範囲の一定の大きさが非常に小さく設定されなければならないという問題が生じる。例えば、図１による信号のように強いノイズを含んだ信号の場合、圧縮率が不満足である、すなわち多くのデータが記憶されるのでそのために必要なメモリ需要が非常に大きいか、あるいは信号経過が記憶された値によって十分に正確に模擬されていない。更に、値範囲の設定前に既に、模擬すべき信号構造が未知であるにもかかわらず、信号の値を検出するためのパラメータが考慮されなければならない。これは同様に圧縮時に不十分な結果を生じる。
【０００６】
本発明の課題は、記憶される値の個数が少なく保たれ、かつ信号のパターンが記憶された値によって十分に正確に再現されるように、信号の値の検出を可能にすることにある。
【０００７】
この課題は請求項１または請求項１２の特徴事項によって解決される。
【０００８】
方法に関して、値範囲の大きさは値範囲の予め定められた初期の大きさから出発して値の検出中に変化させられる。装置に関して、制御手段は、値範囲の大きさを値の検出中に予め定められた初期の大きさから出発させて変化させるように構成されている。したがって、本発明によれば、値範囲は値検出中に動的に決定される。値範囲は不感帯とも呼ばれる。この場合に不感帯は可変である。それによって、記憶される値の数量の明白な低減と同時に、記憶された値による信号経過の良好な模擬が保証される。
【０００９】
本発明の有利な実施態様では、値範囲の大きさは、変化後に値が記憶されたときに新たに初期の大きさを取る。それによって大きな信号変化を非常に迅速に認識することができる。
【００１０】
他の特に有利な実施態様では、値範囲の大きさが、特に連続的に縮小される。それによって、大きな信号変化を迅速に、特に直ぐ決定することができ、かつ付加的に同様に小さい信号変化を決定することができる。緩やかな信号ドリフトおよびランプ（ｒａｍｐ）自体が認識されて記録される。更に、ノイズを含んだ信号の多数の値が記憶されることなしに、強いノイズを含んだ信号自体が認識される。ノイズを含んだ信号においてすら、信号ピークを迅速に認識することができる。中くらいの信号変化は、強いほどより早く認識できる。
【００１１】
値範囲の縮小の際に値範囲の予め定められた最小の大きさが到達され、かつ縮小された値範囲の外側または限界にある信号の値がまだ検出されていないときにも、値が記憶されると好ましい。それによって、予め定められた最小の大きさにおいても、値が値範囲の内側にあるか否かに関係なく値が記憶されることが保証される。それによって実際の信号経過およびそれの変化が、記憶された値において更に良好に模擬される。
【００１２】
値範囲の予め定められた最小の大きさが零であると有利である。この場合に、最小の大きさの存在時において不感帯または値範囲はもはや存在しない。したがって、信号の正確な値が記憶される。
【００１３】
有利な実施態様では、値範囲の大きさが変化する際上限値および下限値の対称的な変化が行なわれる。したがって、上限値も下限値も同じように変化する。
【００１４】
他の有利な実施態様では、値範囲の大きさの変化が一次関数にしたがって行なわれる。これは、信号変化の高速の検出および記憶と正確な検出および記憶との間の特に良好な妥協を保証する。
【００１５】
値範囲が、信号の特に直前に記憶された値に依存して定められると好ましい。これは、同様に信号変化の高速のかつ同時に正確な検出および記憶を保証する。
【００１６】
値範囲が、信号のこれまでに検出された値に基づいて決定された予測値に依存して定められると特に有利である。本発明のこの実施態様は、値範囲を信号経過に特に正確に合わせることを保証する。信号変化は特に良好に、正確にかつ高速に検出される。
【００１７】
信号の予め定められた第１の時間範囲において記憶すべき値の特に最大の個数が予め定められているとよい。それによって、信号の値を記憶するために必要なメモリ領域が正確に決定され利用されることが保証される。第１の時間範囲は、例えば規則正しく値の記憶が行なわれる信号経過の特定の時間を含むとよい。例えば、それにより、記憶すべき値の所望の平均個数が指定可能である。
【００１８】
更に、値範囲の初期の大きさは、信号の予め定められた第２の時間範囲の期間中に記憶される値に依存して定められるとよい。第２の時間範囲は、例えば値を検出するための定められた個数の観察サイクルであってよい。初期の大きさは、それまでに検出されて記憶された信号経過に適合させられるとよい。これは、信号変化の更に良好かつ高速の検出を可能にする。
【００１９】
以下において、模範および実施例および添付図面に基づいて本発明および本発明の利点を更に詳細に説明する。
図１は従来技術による信号の値の検出の例を示し、
図２は本発明による信号の値の検出装置の実施例を示し、
図３は強いノイズを含んだ信号の場合の値検出の実施例を示し、
図４はノイズを含んだ信号の信号ピーク時の値検出の実施例を示し、
図５は弱いノイズを含んだ信号の場合の値検出の実施例を示し、
図６は弱いドリフトを含んだ信号の場合の値検出の実施例を示し、
図７は強い信号変化の場合の値検出の実施例を示す。
【００２０】
図２は本発明による信号の値の検出装置１１の実施例を示す。装置１１は、プログラムメモリ１３を備えた制御手段１２、データメモリ１４、入力インターフェース１５および出力インターフェース１６を含んでいる。装置のこれらの構成要素はバス１７を介して接続されている。装置１１は、入力インターフェース１５を介して、サンプリングされて値を検出されるべき信号を供給される。信号の値が定められた値範囲の限界（限界値）に達したときまたは上回ったときに、その信号の値がデータメモリ１４に記憶されるべきである。それによって、前に検出されて記憶された値に対する信号の変化が決定されて記憶されるべきである。その変化は、場合によっては記憶すべき値の数量を少なく保つために十分に大きくあるべきであり、それにもかかわらず場合によっては記憶された値における信号パターンに関する信号の正確な模擬を記録しておくために十分に小さくあるべきである。このために信号が制御手段１２に供給され、制御手段１２が信号を相応に処理する。信号を処理するためのパラメータ、特に値範囲およびそれの大きさを決定するためのパラメータが、制御手段１２に同様に入力インターフェース１５を介して供給される。これらのパラメータは、プログラムメモリ１３に記憶されているプログラムと共に、制御手段１２を適切に制御する。
【００２１】
本発明によれば、信号の値を記憶するための値範囲が変化する。したがって、値範囲は可変である。図３は信号１８の値を検出する実施例を示す。信号１８は強いノイズ含んでいるが実質的には正弦波状の信号であり、これの経過が時間に関する座標系に描写されている。信号１８は装置１１によりサンプリングされる。その際に、決定された可変の値範囲の限界または外側にある信号１８の値が検出される。これらの値がデータメモリ１４に記憶される。図３では、記憶された値１９，２０，２１，２２が丸のマークを備えている。更に、図３には値範囲２３，２４，２５が示され、これらの値範囲は時間的な経過において台形状の面を描き、これらの面は破線で示されている。値範囲２３〜２５の大きさはそれぞれの時間的な経過において変化する。
【００２２】
値１９が信号１８の経過の時点ｔ１で検出されて記憶される。この値１９は、信号１８の値の図３に示された検出のための出発点として用いられる。値１９の位置が次の値範囲２３の位置を決定する。値範囲２３は、上限値２７および下限値２８によって決定される初期の大きさ２６を有する。初期の大きさ２６において、上限値２７が記憶された値１９から上方に、すなわち縦座標の正方向に離れている間隔は、下限値２８が記憶された値１９から下方に、すなわち縦座標の負方向に離れている間隔に等しい。図３において、値範囲２３は初めに値１９を中心に対称的に置かれている。初期の大きさ２６は図３において垂直に縦座標方向に値１９を通る両方向矢印によって示されている。初期の大きさ２６から出発して値範囲２３の大きさはその後縮小される。縮小はここでは予め定められた一次関数にしたがって連続的に行なわれる。上限値２７は負の勾配を有する一次関数にしたがった時間経過にて低下し、下限値２８は正の勾配を有する一次関数にしたがった時間経過にて上昇する。両関数の勾配は反対向きで等しい。上限値２７および下限値２８の変化は対称的に行なわれる。
【００２３】
値範囲２３の大きさの縮小によって信号１８は時点ｔ２で値範囲２３の下限値２８に到達する。時点ｔ２において信号１８の値２０が検出されて記憶される。時点ｔ１と時点ｔ２との間の時間範囲において、信号１８はその都度設定された上限値２７よりも小さく、その都度設定された下限値２８よりも大きい。したがって、この時間範囲に存在する信号１８の値は記憶されない。値２０の記憶は次の値範囲２４の決定を生じさせる。ここで値範囲２４は先ず初期の大きさ２６に一致する初期の大きさ２９を取る。したがって、新しい値の記憶後に、前に縮小された値範囲が再び拡大される。特に、値範囲は再び元の初期の大きさにリセットされる。値２０の位置は値範囲２４の位置を決定する。初期の大きさ２９は上限値３０および下限値３１によって定められる。初期の大きさ２９において、上限値３０が記憶された値２０から上方に縦座標の正方向に離れている間隔は、下限値３１が記憶された値２０から下方に縦座標の負方向に離れている間隔に等しい。値範囲２４は初めに値２０を中心に対称的に置かれている。初期の大きさ２９は垂直に縦座標方向に値２０を通る両方向矢印によって示されている。初期の大きさ２９から出発して値範囲２４の大きさは縮小される。縮小はここでは予め定められた一次関数にしたがって連続的に行なわれる。値範囲２４の大きさ変化は前述の値範囲２３の変化と同様に行なわれる。
【００２４】
値範囲２４の大きさの縮小によって信号１８は時点ｔ３で値範囲２４の上限値３０に到達する。時点ｔ３において値２１が検出されて記憶される。時点ｔ２と時点ｔ３との間の時間範囲において、信号１８はその都度設定された上限値３０よりも小さく、その都度設定された下限値３１よりも大きい。したがって、この時間範囲において存在する信号１８の値は記憶されない。値２１の記憶は次の値範囲２５の決定を生じさせる。ここで値範囲２５は先ず初期の大きさ２６，２９に一致する初期の大きさ３２を取る。前に値範囲２３，２４に関連して述べたように、値範囲の大きさは信号１８の時間経過において常に一次関数で縮小される。
【００２５】
これは、信号１８が時点ｔ４で値範囲２５の下限値３３に到達するまで行なわれる。時点ｔ４において値２２が検出されて記憶される。時点ｔ３と時点ｔ４との間の時間範囲において、信号１８はその都度設定された値範囲２５の上限値３４よりも小さく、その都度設定された下限値３３よりも大きい。したがって、この時間範囲に存在する信号１８の値は記憶されない。
【００２６】
値範囲２３〜２５の大きさの縮小によって、強いノイズを含んだ信号１８の場合に記憶すべき値の数量が非常に僅かに保たれる。同時に、記憶された値によるノイズの良好な模擬が保証される。
【００２７】
図４は信号ピーク３６を有するノイズを含んだ信号３５における値検出の実施例を示す。図４には、前の図３と同様に、信号３５の複数個の値が丸のマークにより示されている。これらのマークを付けられた値が制御手段１２によってデータメモリ１４に記憶される。図４においては、模範的に、記憶された値３７，３８，３９がより詳細に示されている。値３７が信号３５の経過の時点ｔ５で検出されて記憶される。この値３７は、図４に示されている信号３５の値を検出するための出発点として用いられる。値３７の位置が次の値範囲４０の位置を決定する。値範囲４０は、図３による値範囲２５〜２７の初期の大きさに一致しかつ上限値および下限値によって決定されている初期の大きさを有する。前に図３に基づいて説明したように、値範囲４０の大きさが縮小される。
【００２８】
時点ｔ６において信号３５が値範囲４０の上限値に到達する。時点ｔ６において、この時点ｔ６で信号３５が有する値３８が検出されて記憶される。時点ｔ５と時点ｔ６との間の時間範囲において、信号３５はその都度設定された値範囲４０の上限値よりも小さく、その都度設定された下限値よりも大きい。したがって、この時間範囲に存在する信号３５の値は記憶されない。
【００２９】
値３８の位置は次の値範囲４１の位置を決定する。値範囲４１は、値範囲４０の初期の大きさに一致しかつ同様に上限値および下限値によって決定されている初期の大きさを有する。値範囲４１の大きさは前の他の値範囲と同様に縮小される。時点ｔ６の前後の時間経過において信号３５は信号ピーク３６まで急速なかつ大きな上昇を有する。信号ピーク３６は信号経過における転換点であり、この転換点後に信号は急速に下降する。これによって、信号３５がかなり急速に値範囲４１の下限値に到達する。これが時点ｔ７で起こる。時点ｔ７において、信号３５がこの時点ｔ７で有する値３９が検出されて記憶される。値３９の位置は次の値範囲の位置を決定する。信号３５の値の更なる検出および記憶が図３と同様に行なわれる。
【００３０】
時点ｔ６と時点ｔ７との間の時間範囲は非常に短い。なぜならば信号３５が急速に下降するからである。本発明によれば、この大きな信号変化が迅速に検出可能である。この場合に、記憶される値の数量が少なく保たれ、信号３５のノイズおよび信号ピーク３６が良好に検出される。
【００３１】
図５は弱いノイズを含んだ信号４２の場合における値検出の実施例を示す。信号４２の値を検出するために決定された値範囲４３，４４の大きさの縮小によって、この場合にも、記憶された値４５，４６，４７によりこの僅かなノイズが十分正確に模擬されることが保証される。
【００３２】
値範囲の大きさは、好ましくは零の大きさに相当する予め定められる最小の大きさまで縮小されるとよい。したがって、値範囲の大きさは、値範囲がとりわけもはや存在しないほどまで減少されるとよい。そうすれば信号が存在するかかぎり、信号の値が正確に決定されて記憶される。値範囲の大きさを縮小する際に値範囲の予め定められた最小の大きさが到達された際に、制御手段１２が、その際に存在する信号の値の記憶を制御する。
【００３３】
図６は弱いドリフトを含んだ信号４８の場合における値検出の実施例を示す。信号４８は非常に僅かな勾配で緩やかに上昇している。図５による実施例と同様に、決定された値範囲４９，５０の大きさの縮小によって、ここでも、記憶された値５１，５２により、信号４８のこの弱いドリフトが十分正確に模擬される。このために、値範囲４９の大きさは、信号４８が初期の大きさから出発して既に強く縮小された値範囲４９の上限値に到達するまで、特に強く縮小される。その際に存在する信号４８の値５２が記憶される。
【００３４】
図７は信号５３の強い変化の場合における値検出の実施例を示す。信号５３は、大きな勾配にて上昇する強いドリフトを含んだ信号である。決定された値範囲５４，５５，５６の大きさの縮小は、信号５３のこの強いドリフトが迅速に検出され、記憶された値５７、５８，５９，６０により模擬されることを保証する。値５７〜６０において、信号５３は値範囲５４〜５６の上限値にそれぞれ到達する。
【００３５】
以上に説明した実施例において、値範囲の大きさは一次関数により変化させられる。同様に変化を他の適切な手法で行なうことも可能である。例えば変化を指数関数により行なうこともできる。更に、既述の実施例では、その都度の値範囲の上限値および下限値の変化が対称的に行なわれている。この場合に同様に変化を反対方向に等しくないように行なうことも可能である。更に、特にその都度の値範囲の位置が信号の直前に記憶された値に依存して定められているが、しかし、信号パターンを模擬される信号の前に検出された値に基づいて決定された予測未来値に依存して値範囲を決定することも可能である。
【図面の簡単な説明】
【００３６】
【図１】従来技術による信号の値の検出の例を示す信号経過図
【図２】本発明による信号の値の検出装置の実施例を示すブロック図
【図３】強いノイズを含んだ信号の場合の値検出の実施例を示す信号経過図
【図４】ノイズを含んだ信号の信号ピーク時の値検出の実施例を示す信号経過図
【図５】弱いノイズを含んだ信号の場合の値検出の実施例を示す信号経過図
【図６】弱いドリフトを含んだ信号の場合の値検出の実施例を示す信号経過図
【図７】強い信号変化の場合における信号の値の検出の実施例を示す信号経過図
【符号の説明】
【００３７】
１１        本発明による装置
１２        制御手段
１３        プログラムメモリ
１４        データメモリ
１５        入力インターフェース
１６        出力インターフェース
１７        バス
１８        信号
１９〜２２  記憶される値
２３〜２５  値範囲
２６        初期の大きさ
２７        上限値
２８        下限値
２９        初期の大きさ
３０        上限値
３１        下限値
３２        初期の大きさ
３３        下限値
３４        上限値
３５        信号
３６        信号ピーク
３７〜３９  記憶される値
４０，４１  値範囲
４２        信号
４３，４４  値範囲
４５〜４７  記憶される値
４８        信号
４９，５０  値範囲
５１，５２  記憶される値
５３        信号
５４〜５６  値範囲
５７〜６０  記憶される値
【図１】
2009532964.tif 000003
【図２】
2009532964.tif 000004
【図３】
2009532964.tif 000005
【図４】
2009532964.tif 000006
【図５】
2009532964.tif 000007
【図６】
2009532964.tif 000008
【図７】
2009532964.tif 000009
【国際調査報告】
2009532964.tif 000010
2009532964.tif 000011
2009532964.tif 000012
2009532964.tif 000013
2009532964.tif 000014
2009532964.tif 000015